(57)【要約】      （修正有）【課題】従来西国三十三所、四国八十八所巡りは寺院名と朱肉押印が施こされ掛軸に仕上て、床の間に飾るものと認識されて来た。最近は床の間の備えた住宅は少なく、掛軸に仕上げても飾る場所が無いのが現状である。寺院名と朱肉押印が出来、飾る場所を選ばず場所もとらない物と言う要望が強く、これに答えるため掛軸に仕上げるという概念を根本から変えた三ッ折額を提供する。【解決手段】従来は長方形の絵絹の長手方向に佛像画等を配したのに対し、この発明は直角方向に佛像画等の本尊像を配した。これにより横幅寸法が自由になり今まで長軸状のものしか出来なかったが三ッ折額に仕上げる事が出来る様になった。これにより飾る場所も限定されずしかも場所もとらず価格も安く提供できる。【選択図】図９
2007307345.tif 000002
【特許請求の範囲】
【請求項１】
台紙上に下が透けて見える布製シートを重ねて貼付し、前記台紙にしるされた各寺院の区画部分に対応する前記の布製のシート上にその寺院名と朱肉押印が施こされ、満願時に前記台紙から分離した前記布製シートを表装する納経額において、前記布製シートは中央部と左側部及び右側部から構成し、中央部には佛像画等の本尊像を印刷し、左右側部に寺院名と朱肉押印部を設けてなり表装時には前記布製シートを中央部と左側部及び右側部の３つに分割し、分割した中央部と左側部及び右側部をそれぞれ中央基板左側基板及び右側基板に表装すると共に、左側基板と右側基板とを丁番部材を介して中央基板に対し折り畳み自在に装着することを特徴とする納経額。
【請求項２】
2007307345.tif 000003
あることを特徴とする請求項１に記載の納経額。
【請求項３】
前記左側基板と右側基板を前記中央基板上に折り畳んだ際、左右側基板に表装した布製シート及び中央基板の布製シートが左右側基板で覆われる様、構成したことを特徴とする請求項１又は２に記載の納経額。
【請求項４】
前記佛像画等の本尊像は前記布製シートの長手方向に対し直角方向に設け、且つ寺院名と朱肉押印が前記佛像画等の本尊像と同一方向に施こされる様に各寺院の区画部分を前記台紙に設けた事を特徴とする請求項１に記載の納経額。
【発明の詳細な説明】
【技術分野】
【０００１】本発明は布製シートに寺院名と朱肉押印が施こされ満願時にこの布製シートを表装する納経額に関する。
【背景技術】
【０００２】例えば西国三十三所、四国八十八所霊場巡りは、長軸状の布製シートに寺院名と朱肉押印が施こされ掛軸に仕上げて床の間に飾るのが一般的である。
【発明の開示】
【発明が解決しようとする課題】
【０００３】従来は長方形の布製シート長手方向の中央部に佛像画等を印刷し、台紙区画部分に寺院名と朱肉押印が施こされ掛軸に仕上げた。この発明は寺院名と朱肉押印したものを三ッ折額に仕上げる事により飾る場所が限定されなくなった。
【課題を解決するための手段】
【０００４】本発明は台紙上に下が透けて見える布製シートを重ね貼付し、前記台紙にしるされた各寺院の区画部分に対応する前記の布製シート上に、その寺院名と朱肉押印が施こされ満願時に前記台紙から分離した前記布製シートを表装する納経額において、前記布製シートは中央部と左側部及び右側部から構成し、中央部には佛像画等の本尊像を印刷し、左右側部に寺院名と朱肉押印部を設けてなり、表装時には前記布製シートを中央部と左側部及び右側部の三つに分割し分割した中央部と左側部及び右側部をそれぞれ中央基板左側基板及び右側基板に表装すると共に、左側基板と右側基板とを丁番部材を介して中央基板に対し折り畳み自在に装着することを特徴とする。【０００５】又、本発明は前記左側基板と右側基板のそれぞれは横幅寸法を前記中央基板の約半分であることを特徴とする。【０００６】本発明は前記左側基板と右側基板を前記中央基板上に折り畳んだ際、左右側基板に表装した布製シート及び中央基板の布製シートが左右側基板で覆われる様、構成したことを特徴とする。【０００７】前記佛像画等の本尊像は前記布製シートの長手方向に対して直角方向に設け且つ寺院名と朱肉押印が前記佛像画等の本尊像と同一方向に施こされる様に各寺院の区画部分を前記台紙に設けた事を特徴とする。
【発明の効果】
【０００８】本発明は従来西国三十三所、四国八十八所巡り共、寺院名と朱肉押印したものを掛軸に仕上げて床の間に飾るのが一般的である。最近の住宅状況は床の間を備えた住宅は少なく掛軸に仕上げても飾る場所が無いのが現状である。
この発明は掛軸に仕上ると言う概念を根本から変え、三ッ折額に仕上る事で場所が限定されなくなり、自由に飾れる様になった。
【発明を実施するための最良の形熊】
【０００９】以下、本発明の実施の形熊を図１〜図９に基づいて説明する。
【００１０】図１に示す台紙１に区画部分１−１、１−２、１−３………１−３６を設け各寺院の配列を決める正面図。
【００１１】図２は、図１より一割程大き目の下が透けて見える布製シート中央部に佛像画等の本尊像を設けた布製シート２の正面図。
【００１２】図３は、図１に示す台紙１に図２が示す布製シート２を貼付した正面図。
【００１３】図４は、布製シート２に台紙１が示した区画部分に寺院名と朱肉押印が施こされる正面図。
【００１４】図５は、布製シート２に各寺院が寺院名と朱肉押印が施こされ満願となった正面図。
【００１５】図６は、布製シート２を切断線Ｌ及びＲにて切断し、左側部２Ｌ、中央部２Ｃ、右側部２Ｒ、に３分割した正面図。
【００１６】図７は、３Ｌ、３Ｃ、３Ｒ、の３枚の基板３から構成し、丁番部材４にて３Ｌ及び３Ｒを３Ｃに折込み自在に装着した額の正面図。
【００１７】図８は、図６で３分割した布製シート２Ｌ、２Ｃ、２Ｒを基板３Ｌ、３Ｃ、３Ｒに表装した正面図。
【００１８】図９は、図８の斜視図。
【００１９】この納経額の製作を以下説明する。
【００２０】まず１と２を重合したもの（図３参照）を持ち定められた寺院に巡拝し巡拝した証として、各寺院の割当られた区画部分１−１、１−２、１−３、………１−３６に布製シート２に寺院名と朱肉押印をしてもらう。（図４参照）
【００２１】１番から３６番まで巡拝し満願となる。（図５参照）
【００２２】満願となった布製シート２を台紙１から取りはずし、表装店にて汚れやシミ等を取りのぞき奇麗にした後、布製シート２の裏面に薄紙を糊で貼り付け皺等をのばし表装の下準備をする。
【００２３】表装店は客の希望する額の寸法に合せて、図７に示すような基板３を準備する。即ち左側基板３Ｌ、右側基板３Ｒが中央基板３Ｃの約半分になる様構成した基板を準備する。
【００２４】前記下準備された布製シート２を定められた箇所（Ｌ、Ｒ、切断線）から切断し３分割する。（図６参照）
【００２５】３分割した布製シート２を左側布製シート２Ｌは左側基板３Ｌに、右側布製シート２Ｒは右側基板３Ｒに、及び中央布製シート２Ｃは中央基板３Ｃに表装して３枚の基板を丁番部材４、４……にて装着して完成品となる。
【００２６】収納時は左側基板３Ｌ及び右側基板３Ｒを中央基板３Ｃに対し、折畳むこのため布製シート２は内側になるため汚れない。収納も簡単である。
【図面の簡単な説明】
【００２７】
【図１】台紙正面図
【図２】布製シート正面図
【図３】台紙上に布製シートを重合した正面図
【図４】布製シート上に区画部分に該当する寺院が寺院名と朱肉押印をする正面図。
【図５】寺院名と朱肉押印が満願となった布製シートの正面図
【図６】布製シートを３分割する切断線ＬＲを記した布製シートの正面図
【図７】額を構成する基板の正面図。
【図８】表装した納経額の正面図。
【図９】納経額の斜視図
【符号の説明】
【００２８】１      台紙
１−１、１−２、１−３………１−３６  区画部分
２      布製シート
Ｌ、Ｒ  切断箇所
２Ｌ    左側布製シート
２Ｒ    右側布製シート
２Ｃ    中央布製シート
３      基板
３Ｌ    左側基板
３Ｒ    右側基板
３Ｃ    中央基板
４      丁番部材
【図１】
2007307345.tif 000004
【図２】
2007307345.tif 000005
【図３】
2007307345.tif 000006
【図４】
2007307345.tif 000007
【図５】
2007307345.tif 000008
【図６】
2007307345.tif 000009
【図７】
2007307345.tif 000010
【図８】
2007307345.tif 000011
【図９】
2007307345.tif 000012